(57)【要約】      （修正有）【課題】塩素除去機能及び水質浄化効果を有し、かつマイナス水素イオンを発生させることで、水質が細胞機能活性化能力及び抗酸化力を有するようになるマイナス水素イオン水製造設備を提供する。【解決手段】３つのカートリッジ４１、４２、４３から構成される前置カートリッジ４と、本体、濾過装置、及びマイナス水素共振器３から構成されるマイナス水素水生成機１とを有するマイナス水素水製造設備において、前置カートリッジ４の吸水口４４は、冷水源スイッチから水を吸水し、前置カートリッジ４の排水口４５はパイプを通じてマイナス水素水生成機１の吸水口へとつながっており、マイナス水素水生成機１の排水口はパイプを通じ蛇口６へとつながり、冷水源は前置カートリッジ４を通過し濾過された後、マイナス水素水生成機１へと流入し、濾過装置及びマイナス水素共振器３を通過し、マイナス水素共振器３の排水口から蛇口６を通り供給される。【選択図】図５
0003199237.tif 000002
【実用新案登録請求の範囲】
【請求項１】
3つのカートリッジから構成される前置カートリッジと、
本体、濾過装置、及びマイナス水素共振器から構成されるマイナス水素水生成機とを有する癌、糖尿病、高コレステロール、高血圧、腎臓病を改善するマイナス水素水製造設備において、
前記前置カートリッジの吸水口は、冷水源スイッチから水を吸水し、前記前置カートリッジの排水口はパイプを通じてマイナス水素水生成機の吸水口へとつながっており、マイナス水素水生成機の排水口はパイプを通じ蛇口へとつながり、冷水源は前置カートリッジを通過し濾過された後、マイナス水素水生成機へと流入し、濾過装置及びマイナス水素共振器を通過し、マイナス水素共振器の排水口から蛇口を通り供給されることを特徴とする癌、糖尿病、高コレステロール、高血圧、腎臓病を改善するマイナス水素水製造設備。
【請求項２】
前記前置カートリッジの第一カートリッジは、穴径1ミクロンの繊維フィルターを応用することで高性能、低圧力差を実現し、水中の不純物を濾過した上で、水中の錆、腐食物、泥、砂、頭髪、有機物、藻類、浮遊生物等の不純物を濾過する超密度繊維カートリッジであることを特徴とする請求項１に記載の癌、糖尿病、高コレステロール、高血圧、腎臓病を改善するマイナス水素水製造設備。
【請求項３】
前記前置カートリッジの第二カートリッジは、水中の石灰質、軟化水質を取り除くことができると同時に、健康に悪影響を及ぼす重金属及び酸化物等の発癌性毒素を取り除くこともできる食品級イオンカートリッジであることを特徴とする請求項１に記載の癌、糖尿病、高コレステロール、高血圧、腎臓病を改善するマイナス水素水製造設備。
【請求項４】
前記前置カートリッジの第三カートリッジは、酸素、農業化学品、ハロゲン化物の異臭、有機物質、アスベスト、重金属汚染等の化学物質をまとめて吸収するためのスーパー活性炭カートリッジであることを特徴とする請求項１に記載の癌、糖尿病、高コレステロール、高血圧、腎臓病を改善するマイナス水素水製造設備。
【請求項５】
前記マイナス水素水生成機の本体は、基部とカバーを有し、基部の両側面には嵌合穴が設けられ、カバーには嵌合穴に対応する嵌合爪が設けられており、カバーを基部に嵌合することが可能であり、カバーを基部に嵌合することで内部に収容空間を有する本体ケースが形成され、本体ケースの外側の適切な場所に吸水パイプ及び排水パイプが設けられることを特徴とする請求項１に記載の癌、糖尿病、高コレステロール、高血圧、腎臓病を改善するマイナス水素水製造設備。
【請求項６】
前記マイナス水素水生成機の濾過装置は、それぞれ異なる濾材を有する8つのカートリッジ群からなることを特徴とする請求項１に記載の癌、糖尿病、高コレステロール、高血圧、腎臓病を改善するマイナス水素水製造設備。
【請求項７】
前記濾過装置の第一カートリッジは、穴径1ミクロンの繊維フィルターを応用することで高性能、低圧力差を実現し、水中の不純物を濾過した上で、水中の錆、腐食物、泥、砂、頭髪、有機物、藻類、浮遊生物等の不純物を濾過する超密度繊維カートリッジであることを特徴とする請求項６に記載の癌、糖尿病、高コレステロール、高血圧、腎臓病を改善するマイナス水素水製造設備。
【請求項８】
前記濾過装置の第二カートリッジは、水中の石灰質取り除くことができ、健康に悪影響を及ぼす重金属、例えばカドミウム、ヒ素、塩化物、有機物等の発癌性毒素を濾過することができる食品級イオン微晶カートリッジであることを特徴とする請求項６に記載の癌、糖尿病、高コレステロール、高血圧、腎臓病を改善するマイナス水素水製造設備。
【請求項９】
前記濾過装置の第三カートリッジは、酸素、農業化学品、ハロゲン化物の異臭、有機物質、アスベスト、重金属汚染等の化学物質をまとめて吸収するためのマイナス電位生成器であることを特徴とする請求項６に記載の癌、糖尿病、高コレステロール、高血圧、腎臓病を改善するマイナス水素水製造設備。
【請求項１０】
前記濾過装置の第四カートリッジは、水クラスターを共振させることで活性化し、水クラスターが縮小し、π化させ、エネルギーを帯びるようにさせ、遠赤外線を放つことができ、共鳴、共振を発生させ分子内の共振を大きくし、細胞を活性化させることで、血液を良好にし、血液循環を促進し、かつ栄養分と酵素供給を速め、新陳代謝の活発化、免疫力上昇の効果を有するπ化エネルギー石濾材を用いたカートリッジであることを特徴とする請求項６に記載の癌、糖尿病、高コレステロール、高血圧、腎臓病を改善するマイナス水素水製造設備。
【請求項１１】
前記濾過装置の第五カートリッジは、細菌の成長速度を抑え、塩素除去効果を有するとともに、化学物質に強力に吸着する力を有し、水質を弱アルカリ性にする銅と亜鉛を混合することで製成されるKDF及び活性炭濾材を用いたカートリッジであることを特徴とする請求項６に記載の癌、糖尿病、高コレステロール、高血圧、腎臓病を改善するマイナス水素水製造設備。
【請求項１２】
前記濾過装置の第六カートリッジは、効果的に抗菌ができ、有害な化学物質を除去できるナノ銀抗菌カートリッジであることを特徴とする請求項６に記載の癌、糖尿病、高コレステロール、高血圧、腎臓病を改善するマイナス水素水製造設備。
【請求項１３】
前記濾過装置の第七カートリッジは、マイナスイオンにより人体のプラス、マイナスイオンのバランスを調整することで、細胞活性化、自然治癒力上昇、血管細胞の老化又は酸化防止、血管の浄化調整、抵抗力上昇、心肺機能上昇、新陳代謝改善、有害な電磁波の除去が行われ、マイナスイオンが細胞膜の電位に戻ることで、細胞膜が本来の活力を取り戻し、栄養分及び酸素が流入し体内の老廃物が正常に排出され、細胞の新陳代謝が高まるようになるマイナスイオン共振器であることを特徴とする請求項６に記載の癌、糖尿病、高コレステロール、高血圧、腎臓病を改善するマイナス水素水製造設備。
【請求項１４】
前記濾過装置の第八カートリッジは、振動原理を用い水クラスターを再配置し、大きいクラスターを小さく切り分け、吸収効率を高め新陳代謝を促進する超微化エネルギーカートリッジであることを特徴とする請求項６に記載の癌、糖尿病、高コレステロール、高血圧、腎臓病を改善するマイナス水素水製造設備。
【考案の詳細な説明】
【技術分野】
【０００１】
本考案は癌、糖尿病、高コレステロール、高血圧、腎臓病を改善するマイナス水素水製造設備に関し、特に多重カートリッジ構造を有し、塩素除去機能及び水質浄化効果を有し、かつマイナス水素イオンを発生させることで、水質が細胞機能活性化能力及び抗酸化力を有するようになるマイナス水素イオン水製造設備に関する。
【背景技術】
【０００２】
通常、人の疾病、老化、死亡の原因は血液の酸化である。そして血液の酸化はマイナスイオンの不足により発生し、血液の酸化が進むと癌、高コレステロール、高血圧、糖尿病等の疾病をもたらす。
【０００３】
マイナス水素イオン水は、活力豊富、栄養豊富、水質浄化等の特性を有し、細胞の成長、修復、再生を促進することができる。体内の血管が浄化され血管内のマイナスイオンが増加すると、血管中のカルシウムやナトリウムが加速してイオン化する。すると、血管壁上に蓄積した沈殿物が溶解され、血液が弱アルカリ性になり、血液浄化の効果が得られる。マイナスイオンが増加すると、新陳代謝が徐々に改善されると同時に、細胞活性化、栄養吸収効率改善が促進され、さらに老廃物及び毒素が容易に体外に排出されやすくなる。抵抗力も増加し、血液中のグロブリンも増加する。グロブリンの増加は疾病に対する抵抗力増加に有益であり、傷がより早く回復するようになる。
【０００４】
しかし、一般家庭で使用される浄水装置により浄化される飲用水にはマイナス水素イオンが欠乏しているため、上述の効果を得ることができない。
【考案の概要】
【考案が解決しようとする課題】
【０００５】
本考案はかかる技術的背景に鑑み、癌、糖尿病、高コレステロール、高血圧、腎臓病を改善するマイナス水素水製造設備を提供することを目的とする。本考案のマイナス水素水製造設備では、水質活性化カートリッジを設置することで、水がカートリッジを通過する際に、水中の石灰石、重金属、不純物等が除去され、かつ健康に有益な鉱物質及び微量元素を吸収する。そして、体内のアシドーシスが中和されることで、人体を健康な弱アルカリ性の状態に維持することができる。これにより、神経痛、筋骨の痛み、痛風、糖尿病、胃炎、高コレストロール、高血圧、結石が改善され、及び血管浄化、細胞の活性化が促進される。加えて、骨粗鬆症の防止、血圧の安定、血管疾患を防止することも期待される。
【課題を解決するための手段】
【０００６】
上記目的を達成するため、本考案が提供する癌、糖尿病、高コレステロール、高血圧、腎臓病を改善するマイナス水素水製造設備は、前置カートリッジとマイナス水素水生成機から成る。前置カートリッジは3つのカートリッジから構成される。マイナス水素水生成機は、本体、濾過装置及びマイナス水素共振器から構成される。前置カートリッジの吸水口は、冷水源スイッチから水を吸水し、前置カートリッジの排水口はパイプを通じてマイナス水素水生成機の吸水口へとつながっている。マイナス水素水生成機の排水口はパイプを通じ蛇口へとつながれる。冷水源は前置カートリッジを通過し濾過された後、マイナス水素水生成機へと流入し、濾過装置及びマイナス水素共振器を通過する。そしてマイナス水素共振器の排水口から蛇口を通り供給される。
【０００７】
また、本考案のマイナスイオン水素水生成機において、本体は基部とカバーを有する。基部の両側壁面には嵌合穴が設けられ、カバーには嵌合穴に対応する嵌合爪が設けられており、カバーを基部に嵌合することができる。カバーを基部に嵌合すると、内部に収容空間を有する本体ケースが形成され、本体ケースの外側の適切な場所に吸水パイプ及び排水パイプが設けられる。また、前記濾過装置は、それぞれ異なる濾材を有する多数のカートリッジ群から成る。前記濾過装置は取り外し可能プレートにより本体内部に取り付けられ、濾過装置の吸水口は管体により吸水パイプと相互に通じている。マイナス水素共振器は本体内部に設置され、上部には螺蓋が設けられる。この螺蓋上部及び共振器の底部には連結管が設けられ、管体により濾過装置の排水口及び本体の排水パイプへとそれぞれ通じている。カートリッジ内の水には人体が必要とする量子化鉱物質及び微量元素が溶解され、これにより水質浄化が行われる。
【０００８】
本考案のその他の特徴及び具体的実施例について、図面と合わせて以下に説明する。
【図面の簡単な説明】
【０００９】
【図１】本考案にかかるマイナス水素水生成機の構造分解図である。
【図２】本考案にかかるマイナス水素水生成機の立体外観図である。
【図３】本考案にかかるマイナスイオン共振器の構造分解図である。
【図４】本考案にかかる癌、糖尿病、高コレステロール、高血圧、腎臓病を改善するマイナス水素水製造設備の実施例を示す図である。
【図５】本考案にかかる癌、糖尿病、高コレステロール、高血圧、腎臓病を改善するマイナス水素水製造設備の構造分解図である。
【考案を実施するための形態】
【００１０】
図5に示すように、本考案は前置カートリッジ4及びマイナス水素水生成機1から成る。
【００１１】
前記前置カートリッジは、3つのカートリッジから構成される。
【００１２】
前記マイナス水素イオン生成機は、本体、濾過装置、及び、マイナス水素共振器から構成される。
【００１３】
前記前置カートリッジの吸水口は冷水源スイッチから水を吸水し、排水口はパイプを通じてマイナス水素水生成機の吸水口へとつながっている。マイナス水素水生成機の排水口はパイプを通じ蛇口へとつながれる。冷水源は前置カートリッジを通過し濾過された後、マイナス水素水生成機へと流入し、濾過装置及びマイナス水素共振器を通過する。そしてマイナス水素共振器の排水口から蛇口を通り供給される。
【００１４】
図1〜図3に示すように、本考案のマイナス水素水生成機は、本体11A、濾過装置2、及びマイナス水素共振器3から構成される。
【００１５】
前記本体11Aは、基部11Bとカバー12を有する。基部11Bの両側壁面には嵌合穴111が設けられ、カバー12には嵌合穴111に対応する嵌合爪121が設けられており、カバー12を基部11Bに嵌合することができる。カバー12を基部11Bに嵌合すると、内部に収容空間を有する本体ケースが形成され、本体ケースの外側の適切な場所に少なくとも1つずつ吸水パイプ13及び排水パイプ14が設けられる。また、本実施例においては基部11Bの内部壁の適切な場所に複数の溝112が設けられ、底部には2つの弾力性止具113が設けられている。
【００１６】
前記濾過装置2において、取り外し可能プレート21によりそれぞれ異なる濾材を有する多数のカートリッジ群22が固定されており、管体により相互に連結されている。本考案の実施例において、カートリッジ22は、取り外し可能プレート21上のコネクタ23を利用し固定されているため、カートリッジ22を素早く取り外すことができるように固定される。
【００１７】
マイナスイオン共振器3は、中空の筒状体31の開口側に螺蓋32が設けられ、筒状体31の底部及び螺蓋32の上部にはそれぞれコネクタ管33が設けられており、筒状体31内部には天然鉱物原料で生成されたエネルギー石34が入っている。
【００１８】
本考案を組み立てる場合は、前記濾過装置2内の取り外し可能プレート21を、基部11B内に設けられた溝112に嵌めこみ、固定する。濾過装置の吸水口は管体を通じ本体11Aの吸水パイプ13が相互に通じている。第八カートリッジは基部11B底部に設けられた弾力性止具113に固定される。
【００１９】
図2及び図4に示すように、本考案の癌、糖尿病、高コレステロール、高血圧、腎臓病を改善するマイナス水素水製造設備の使用時には、前記濾過装置2は本体11Aの内部空間設計により8個のカートリッジ22を設けることができる。各カートリッジ22のコネクタ23間には非常に短い管により連結されている。使用者がカートリッジ22を交換する際には、カートリッジ22をコネクタ23から取り外すだけで交換することができ、利便性が非常に高い。
【００２０】
前記3つの前置カートリッジ及び8つのカートリッジがそれぞれ異なる濾過機能を有している。前置第一カートリッジは穴径1ミクロンの繊維フィルターを応用することで高性能、低圧力差を実現し、水中の不純物を濾過した上で、水中の錆腐食物、泥、砂、頭髪、有機物、藻類、浮遊生物等の不純物を濾過する超密度繊維カートリッジである。
【００２１】
前置第二カートリッジは、水中の石灰質、軟化水質を取り除くことができると同時に、健康に悪影響を及ぼす重金属及び酸化物等の発癌性毒素を取り除くこともでき、かつ水の甘味と水分が増し飲みやすくなる食品級イオンカートリッジである。
【００２２】
前置第三カートリッジは、酸素、農業化学品、ハロゲン化物の異臭、有機物質、アスベスト、重金属汚染等の化学物質をまとめて吸収するためのスーパー活性炭カートリッジである。
【００２３】
濾過装置の第一カートリッジは、水中の不純物、浮遊生物、沈殿物、膠質物等の有害物質を取り除き、塩素の臭い、色、毒素を完全に取り除くための超密度繊維カートリッジである。
【００２４】
濾過装置の第二カートリッジは、水の硬度を下げ、有害な重金属、例えばカドミウム、ヒ素、塩化物、有機物等の発癌性毒素を濾過することができ、かつ水の甘味と水分が増し飲みやすくなる食品級イオン微晶カートリッジである。
【００２５】
濾過装置の第三カートリッジは、特殊材料を運用しマイナス電位アルカリ性水を生成し、酸化還元能力を有し、水道水のプラス電位約300orpをマイナス電位約-300orpへと効率的に変換することができるマイナス電位生成器である。
【００２６】
濾過装置の第四カートリッジは、水クラスターを共振させることで活性化し、水クラスターが縮小し、π化させ、エネルギーを帯びるようにさせ、遠赤外線を放つことができ、共鳴、共振を発生させ分子内の共振を大きくし、細胞を活性化させることで、血液を良好にし、血液循環を促進し、かつ栄養分と酵素供給を速め、新陳代謝の活発化、免疫力上昇の効果を有するπ化エネルギー石濾材を用いたカートリッジである。
【００２７】
濾過装置の第五カートリッジは、細菌の成長速度を抑え、塩素除去効果を有するとともに、塩素、農薬、トリハロメタン、異臭、マグネシウム、有機物等化学物質に強力に吸着する力を有し、水質を弱アルカリ性にする銅と亜鉛を混合することで製成されるKDF及び活性炭濾材を用いたカートリッジである。
【００２８】
濾過装置の第六カートリッジは、効果的に抗菌及び細菌付着の抑制ができ、有害な化学物質を除去できるナノ銀抗菌カートリッジである。
【００２９】
濾過装置の第七カートリッジは、マイナスイオンにより人体のプラス、マイナスイオンのバランスを調整することで、細胞活性化、自然治癒力上昇、血管細胞の老化又は酸化防止、血管の浄化調整、抵抗力上昇、心肺機能上昇、新陳代謝改善、有害な電磁波の除去が行われ、マイナスイオンが細胞膜の電位に戻ることで、細胞膜が本来の活力を取り戻し、栄養分及び酸素が流入し体内の老廃物が正常に排出され、細胞の新陳代謝が高まるようになるマイナスイオン共振器である。
【００３０】
濾過装置の第八カートリッジは、振動原理を用い水クラスターを再配置し、大きいクラスターを小さく切り分け、吸収効率を高め新陳代謝を促進する超微化エネルギーカートリッジである。
【００３１】
マイナスイオンには人体のプラス、マイナスイオンのバランスを調整することで、細胞活性化、自然治癒力上昇、血管細胞の老化又は酸化防止、血管の浄化調整、抵抗力上昇、心肺機能上昇、新陳代謝改善、有害な電磁波の除去という効用がある。活性酸素は体内の不安定な酸素分子であり、遊離基とも呼ばれる。活性酸素の増加は細胞の老化を加速化し細胞膜の電位を変化させ、マイナスイオンが細胞膜の電位に戻ることで、細胞膜が本来の活力を取り戻し、栄養分及び酸素が流入し体内の老廃物が正常に排出され、細胞の新陳代謝が高まり、必要のない文明病が取り除かれる。また、マイナスイオンは除菌、消臭効果もある。
【００３２】
マイナス水素イオン水を長期的に飲用すると、水が人体に入ったときに細胞活性化機能が素早く起こるようになり、細胞が必要とする鉱物質や栄養分の吸収が早まり、不要な老廃物及び毒素を素早く体外に排出することで、老化防止及び健康促進の効果が達成され、結果として癌、糖尿病、高コレステロール、高血圧、腎臓病等の疾患が改善される。
【００３３】
本考案の設備は、電力を必要とせず、濾過されたマイナス水素イオン水は、煮沸する必要なくそのまま飲用することができ、多数の効用を有する。
【００３４】
実験により、マイナス水素イオンが人体に入った後、以下の保健効用を有するようになることが判明した。
【００３５】
1.体内の酸性を維持し安定させる。
【００３６】
2.電気伝導率を強化し、細胞間の情報交換を上昇させる。
【００３７】
3.マイナス水素イオンは強度な抗酸化剤であり、細胞内外の毒素を除去し変性疾患及び老化を予防する。
【００３８】
4.体内にウイルス、細菌、酵母菌、寄生虫が生存できない人体を保護する生物環境を形成する。
【００３９】
5.癌細胞の成長を抑制する。
【００４０】
6.酵素、ホルモン、肝臓、心臓、神経機能を含む新陳代謝を改善する
【００４１】
7.マイナス水素イオンは熱量がない細胞エネルギー源である
【００４２】
本考案は人体に対し以下の効用を有する。
【００４３】
1.マイナス水素イオン水の飲用は、神経痛、筋骨の痛み、通風、糖尿病、以遠、高コレステロール、高血圧、結石の改善、血管浄化及び細胞の活性化、骨粗鬆症の防止、心臓血圧の安定化、血管疾患の予防といった多くの保健効用が得られる。
【００４４】
2.本考案に備えられている8つのカートリッジにより、水道水に含まれる人体に有害な物質が除去されるが、栄養素及び鉱物元素は除去されず残る。
【００４５】
3.本考案の多重カートリッジは、“ナノ”穴径の高吸収活性炭繊維を採用していることにより、塩素除去効果を有し、水質が浄化され、細胞が活性化されるマイナス水素イオンを有する水質を生成し、抗酸化剤としての効果が達せられる。
【００４６】
以上より本考案は、清潔、無汚染、適切な硬度、吸収効率良好な水を提供するだけでなく、水質活性化により人体が必要とする鉱物及び微量元素を提供し、体質が調製され生理機能も強化されることがわかる。従って、使用者が安心して健康的な水が飲用できるようになり、実用価値も有している。
【００４７】
上述した実施例はあくまで本発明における好ましい実施例に過ぎず、本発明の実施範囲はこれに限られない。即ち、本発明の特許請求の本位及び発明内容の説明に沿って簡単な変更又は修正が行われたとしても、特許請求の範囲に含まれるものである。
【符号の説明】
【００４８】
1  マイナス水素水生成機
11A  本体
11B  基部
111  嵌合穴
112  溝
113  弾力性止具
12  カバー
121  嵌合爪
13  吸水パイプ
14  排水パイプ
2  濾過裝置
21  取り外し可能プレート
22  カートリッジ
23  コネクタ
3  マイナス水素共振器
31  筒状体
32  螺蓋
33  コネクタ管
34  エネルギー石
4  前置カートリッジ
41  前置第一カートリッジ
42  前置第二カートリッジ
43  前置第三カートリッジ
44  前置カートリッジ吸水口
45  前置カートリッジ排水口
5  冷水源開關閥
6  蛇口
【図１】
0003199237.tif 000003
【図２】
0003199237.tif 000004
【図３】
0003199237.tif 000005
【図４】
0003199237.tif 000006
【図５】
0003199237.tif 000007
【手続補正書】
【提出日】平成27年6月2日(2015.6.2)
【手続補正１】
【補正対象書類名】実用新案登録請求の範囲
【補正対象項目名】全文
【補正方法】変更
【補正の内容】
【実用新案登録請求の範囲】
【請求項１】
3つのカートリッジから構成される前置カートリッジと、
本体、濾過装置、及びマイナス水素共振器から構成されるマイナス水素水生成機とを有する癌、糖尿病、高コレステロール、高血圧、腎臓病を改善するマイナス水素水製造設備において、
前記前置カートリッジの吸水口は、冷水源スイッチから水を吸水し、前記前置カートリッジの排水口はパイプを通じてマイナス水素水生成機の吸水口へとつながっており、マイナス水素水生成機の排水口はパイプを通じ蛇口へとつながり、冷水源は前置カートリッジを通過し濾過された後、マイナス水素水生成機へと流入し、濾過装置及びマイナス水素共振器を通過し、マイナス水素共振器の排水口から蛇口を通り供給されることを特徴とする癌、糖尿病、高コレステロール、高血圧、腎臓病を改善するマイナス水素水製造設備。
【請求項２】
前記前置カートリッジの第一カートリッジは、穴径1ミクロンの繊維フィルターを応用することで高性能、低圧力差を実現し、水中の不純物を濾過した上で、水中の錆、腐食物、泥、砂、頭髪、有機物、藻類、浮遊生物等の不純物を濾過する超密度繊維カートリッジであることを特徴とする請求項１に記載の癌、糖尿病、高コレステロール、高血圧、腎臓病を改善するマイナス水素水製造設備。
【請求項３】
前記前置カートリッジの第二カートリッジは、水中の石灰質、軟化水質を取り除くことができると同時に、健康に悪影響を及ぼす重金属及び酸化物等の発癌性毒素を取り除くこともできる食品級イオンカートリッジであることを特徴とする請求項１に記載の癌、糖尿病、高コレステロール、高血圧、腎臓病を改善するマイナス水素水製造設備。
【請求項４】
前記前置カートリッジの第三カートリッジは、酸素、農業化学品、ハロゲン化物の異臭、有機物質、アスベスト、重金属汚染等の化学物質をまとめて吸収するためのスーパー活性炭カートリッジであることを特徴とする請求項１に記載の癌、糖尿病、高コレステロール、高血圧、腎臓病を改善するマイナス水素水製造設備。
【請求項５】
前記マイナス水素水生成機の本体は、基部とカバーを有し、基部の両側面には嵌合穴が設けられ、カバーには嵌合穴に対応する嵌合爪が設けられており、カバーを基部に嵌合することが可能であり、カバーを基部に嵌合することで内部に収容空間を有する本体ケースが形成され、本体ケースの外側の適切な場所に吸水パイプ及び排水パイプが設けられることを特徴とする請求項１に記載の癌、糖尿病、高コレステロール、高血圧、腎臓病を改善するマイナス水素水製造設備。
【請求項６】
前記マイナス水素水生成機の濾過装置は、それぞれ異なる濾材を有する8つのカートリッジ群からなることを特徴とする請求項１に記載の癌、糖尿病、高コレステロール、高血圧、腎臓病を改善するマイナス水素水製造設備。
【請求項７】
前記濾過装置の第一カートリッジは、水中の不純物、浮遊生物、沈殿物、膠質物等の有害物質を取り除き、塩素の臭い、色、毒素を完全に取り除くための超密度繊維カートリッジであることを特徴とする請求項６に記載の癌、糖尿病、高コレステロール、高血圧、腎臓病を改善するマイナス水素水製造設備。
【請求項８】
前記濾過装置の第二カートリッジは、水中の石灰質を取り除くことができ、健康に悪影響を及ぼす重金属、例えばカドミウム、ヒ素、塩化物、有機物等の発癌性毒素を濾過することができる食品級イオン微晶カートリッジであることを特徴とする請求項６に記載の癌、糖尿病、高コレステロール、高血圧、腎臓病を改善するマイナス水素水製造設備。
【請求項９】
前記濾過装置の第三カートリッジは、特殊材料を運用しマイナス電位アルカリ性水を生成し、酸化還元能力を有し、水道水のプラス電位約300orpをマイナス電位約-300orpへと効率的に変換することができるマイナス電位生成器であることを特徴とする請求項６に記載の癌、糖尿病、高コレステロール、高血圧、腎臓病を改善するマイナス水素水製造設備。
【請求項１０】
前記濾過装置の第四カートリッジは、水クラスターを共振させることで活性化し、水クラスターが縮小し、π化させ、エネルギーを帯びるようにさせ、遠赤外線を放つことができ、共鳴、共振を発生させ分子内の共振を大きくし、細胞を活性化させることで、血液を良好にし、血液循環を促進し、かつ栄養分と酵素供給を速め、新陳代謝の活発化、免疫力上昇の効果を有するπ化エネルギー石濾材を用いたカートリッジであることを特徴とする請求項６に記載の癌、糖尿病、高コレステロール、高血圧、腎臓病を改善するマイナス水素水製造設備。
【請求項１１】
前記濾過装置の第五カートリッジは、細菌の成長速度を抑え、塩素除去効果を有するとともに、化学物質に強力に吸着する力を有し、水質を弱アルカリ性にする銅と亜鉛を混合することで製成されるKDF及び活性炭濾材を用いたカートリッジであることを特徴とする請求項６に記載の癌、糖尿病、高コレステロール、高血圧、腎臓病を改善するマイナス水素水製造設備。
【請求項１２】
前記濾過装置の第六カートリッジは、効果的に抗菌ができ、有害な化学物質を除去できるナノ銀抗菌カートリッジであることを特徴とする請求項６に記載の癌、糖尿病、高コレステロール、高血圧、腎臓病を改善するマイナス水素水製造設備。
【請求項１３】
前記濾過装置の第七カートリッジは、マイナスイオンにより人体のプラス、マイナスイオンのバランスを調整することで、細胞活性化、自然治癒力上昇、血管細胞の老化又は酸化防止、血管の浄化調整、抵抗力上昇、心肺機能上昇、新陳代謝改善、有害な電磁波の除去が行われ、マイナスイオンが細胞膜の電位に戻ることで、細胞膜が本来の活力を取り戻し、栄養分及び酸素が流入し体内の老廃物が正常に排出され、細胞の新陳代謝が高まるようになるマイナスイオン共振器であることを特徴とする請求項６に記載の癌、糖尿病、高コレステロール、高血圧、腎臓病を改善するマイナス水素水製造設備。
【請求項１４】
前記濾過装置の第八カートリッジは、振動原理を用い水クラスターを再配置し、大きいクラスターを小さく切り分け、吸収効率を高め新陳代謝を促進する超微化エネルギーカートリッジであることを特徴とする請求項６に記載の癌、糖尿病、高コレステロール、高血圧、腎臓病を改善するマイナス水素水製造設備。
【手続補正２】
【補正対象書類名】図面
【補正対象項目名】全図
【補正方法】変更
【補正の内容】
【図１】
0003199237.tif 000008
【図２】
0003199237.tif 000009
【図３】
0003199237.tif 000010
【図４】
0003199237.tif 000011
【図５】
0003199237.tif 000012